(57)【要約】【課題】操作性、利便性に優れた映像信号供給装置と映像表示端末装置、及び当該装置における信号入力端子選択方法を提供する。【解決手段】映像信号供給装置からの初期設定映像信号の入力に用いられる映像表示端末装置の入力端子番号を記憶する。その後、映像信号供給装置からアナログ映像信号が映像表示端末装置に供給される際に、映像信号供給装置は、初期設定処理時に記憶した入力端子番号を映像表示端末装置に通知する。映像表示端末装置では、かかる通知に基づいて入力端子を選択して映像信号供給装置からのアナログ映像信号を取得する。両装置間における入力端子に関する情報の授受は、例えば、ＩＥＥＥ１３９４基準に基づくデジタルインタフェースを用いて行われる。【選択図】  図４
2005017817.tif 000002
【特許請求の範囲】
【請求項１】
少なくとも１つのデジタル信号入力端子と複数のアナログ信号入力端子を有する映像表示端末装置に、前記デジタル信号入力端子を介してデジタル信号を供給し、前記アナログ信号入力端子を介してアナログ映像信号を供給する映像信号供給装置であって、
前記複数のアナログ信号入力端子のうちの１つの入力端子を特定する端子特定情報を取得してこれを記憶する端子情報保持手段と、
前記アナログ信号入力端子を介して前記映像表示端末装置に前記アナログ映像信号の供給を開始する際に、前記端子情報保持手段に記憶された端子特定情報を前記デジタル信号入力端子を介して前記映像表示端末装置に通知する端子情報通知手段と、を含むことを特徴とする映像信号供給装置。
【請求項２】
前記デジタル信号は、ＩＥＥＥ１３９４規格に基づいた信号であることを特徴とする請求項１に記載の映像信号供給装置。
【請求項３】
少なくとも１つのデジタル信号入力端子と複数のアナログ信号入力端子とを備え、映像信号供給装置から前記デジタル信号入力端子を介してデジタル信号の供給を受け前記アナログ信号入力端子を介してアナログ映像信号の供給を受ける映像表示端末装置であって、
前記デジタル信号入力端子を介して前記映像信号供給装置から供給された端子特定情報に基づき前記複数のアナログ信号入力端子のうちの何れか１つの入力端子を前記アナログ映像信号が供給される入力端子として選択する入力端子選択手段を含むことを特徴とする映像表示端末装置。
【請求項４】
前記デジタル信号は、ＩＥＥＥ１３９４規格に基づいた信号であることを特徴とする請求項３に記載の映像表示端末装置。
【請求項５】
少なくとも１つのデジタル信号入力端子と複数のアナログ信号入力端子を有する映像表示端末装置に、映像信号供給装置からアナログ映像信号を供給する際のアナログ信号入力端子の選択方法であって、
前記複数のアナログ信号入力端子のうちの１つの入力端子を特定する端子特定情報を取得してこれを記憶する端子情報保持行程と、
前記映像信号供給装置から前記アナログ信号入力端子を介して前記映像表示端末装置に前記アナログ映像信号の供給を開始する際に、前記端子情報保持行程で記憶された端子特定情報を前記デジタル信号入力端子を介して前記映像表示端末装置に通知する端子情報通知行程と、
前記端子情報通知行程で通知された端子特定情報に基づいて前記複数のアナログ信号入力端子のうちの何れか１つの入力端子を前記アナログ映像信号が供給される入力端子として選択する入力端子選択行程と、を含むことを特徴とするアナログ信号入力端子の選択方法。
【発明の詳細な説明】
【０００１】
【発明の属する技術分野】
本発明は、例えば、映像信号の供給装置と、複数の入力端子を介して映像信号の供給を受ける映像表示端末装置等に関する。
【０００２】
【従来の技術】
従来、ＤＶＤ（Ｄｉｇｉｔａｌ  Ｖｅｒｓａｔｉｌｅ  Ｄｉｓｃ）プレーヤやＤＶＤレコーダ等の映像信号供給装置と、テレビモニタ等の映像表示端末装置とを接続して映像信号を伝送する種々のシステムが知られている。その一例として、例えば、特許文献１に示される如く、通常のアナログ信号によるインタフェースと、ＩＥＥＥ１３９４規格のようなデジタル信号インタフェースを併用して両装置間を接続する技術が開示されている。なお、ＩＥＥＥ１３９４規格とは、ＩＥＥＥ（米国電気電子技術者協会）が標準化した、コンピュータ機器とオーディオ・ビデオ機器、或いはオーディオ・ビデオ機器同士の接続を規定した標準規格であり、デジタル信号を数百メガビット／秒〜数ギガビット／秒程度の速度で伝送することが可能である。
【０００３】
このようにして、ＤＶＤプレーヤとテレビモニタとをアナログインタフェース及びＩＥＥＥ１３９４インタフェースを併用して接続した場合、ＤＶＤプレーヤからテレビモニタへの映像信号の供給は、アナログインタフェースを介しても、或いはＩＥＥＥ１３９４インタフェースを介しても行うことができる。
しかしながら、テレビモニタ等の映像表示端末装置は、一般に、複数の映像信号供給装置に対して共通に設けられていることが多く、各々の供給装置に対応すべく複数のアナログ信号入力端子を有している。従って、ＤＶＤプレーヤからテレビモニタへの映像信号供給をＩＥＥＥ１３９４インタフェースからアナログインタフェースに切り替える際、テレビモニタは、如何なるアナログ信号入力端子を選択すればＤＶＤプレーヤからの映像信号が得られるかを認識することができない。
【０００４】
それ故、かかるインタフェース形式の切替の度に、ユーザがテレビモニタのアナログ信号入力端子の選択を手動で行う必要があり、機器操作の利便性を損ねるという問題が生じていた。
【０００５】
【特許文献１】
特開２００２−３４４８９８号公報
【０００６】
【発明が解決しようとする課題】
本発明は、このような問題を解決すべく為されたものであり、本発明が解決しようとする課題には、例えば、操作性、利便性に優れた映像信号供給装置と映像表示端末装置、及び当該装置における信号入力端子の選択方法を提供することが一例として挙げられる。
【０００７】
【課題を解決するための手段】
請求項１に記載の発明は、少なくとも１つのデジタル信号入力端子と複数のアナログ信号入力端子を有する映像表示端末装置に、前記デジタル信号入力端子を介してデジタル信号を供給し、前記アナログ信号入力端子を介してアナログ映像信号を供給する映像信号供給装置であって、前記複数のアナログ信号入力端子のうちの１つの入力端子を特定する端子特定情報を取得してこれを記憶する端子情報保持手段と、前記アナログ信号入力端子を介して前記映像表示端末装置に前記アナログ映像信号の供給を開始する際に、前記端子情報保持手段に記憶された端子特定情報を前記デジタル信号入力端子を介して前記映像表示端末装置に通知する端子情報通知手段とを含むことを特徴とする。
【０００８】
また、請求項３に記載の発明は、少なくとも１つのデジタル信号入力端子と複数のアナログ信号入力端子とを備え、映像信号供給装置から前記デジタル信号入力端子を介してデジタル信号の供給を受け前記アナログ信号入力端子を介してアナログ映像信号の供給を受ける映像表示端末装置であって、前記デジタル信号入力端子を介して前記映像信号供給装置から供給された端子特定情報に基づき前記複数のアナログ信号入力端子のうちの何れか１つの入力端子を前記アナログ映像信号が供給される入力端子として選択する入力端子選択手段を含むことを特徴とする。
【０００９】
また、請求項５に記載の発明は、少なくとも１つのデジタル信号入力端子と複数のアナログ信号入力端子を有する映像表示端末装置に、映像信号供給装置からアナログ映像信号を供給する際のアナログ信号入力端子の選択方法であって、前記複数のアナログ信号入力端子のうちの１つの入力端子を特定する端子特定情報を取得してこれを記憶する端子情報保持行程と、前記映像信号供給装置から前記アナログ信号入力端子を介して前記映像表示端末装置に前記アナログ映像信号の供給を開始する際に、前記端子情報保持行程で記憶された端子特定情報を前記デジタル信号入力端子を介して前記映像表示端末装置に通知する端子情報通知行程と、前記端子情報通知行程で通知された端子特定情報に基づいて前記複数のアナログ信号入力端子のうちの何れか１つの入力端子を前記アナログ映像信号が供給される入力端子として選択する入力端子選択行程とを含むことを特徴とする。
【００１０】
【発明の実施の形態】
本発明に基づく映像信号供給装置、及び映像表示端末装置からなる映像信号供給システムの構成を図１に示す。
同図において、映像信号供給装置１０は、例えば、映像記録ディスクを再生して、再生された映像信号を出力するＤＶＤレコーダ等の装置である。また、映像表示端末装置２０は、例えば、ブラウン管やプラズマディスプレイパネルを用いたテレビモニタであり、映像信号供給装置１０から供給される映像信号を表示するモニタ装置である。映像信号供給装置１０から出力される映像信号は、アナログインタフェース、若しくはＩＥＥＥ１３９４インタフェースを介して映像表示端末装置２０に供給されるものとする。なお、両装置間の接続は、通常のケーブルによる有線接続としても良いし、或いは、微弱電波や赤外線を用いた無線接続としても良い。
【００１１】
次に、映像信号供給装置１０の構成について、図２に示すブロック図を参照しつつ説明を行う。
同図において、映像信号供給装置制御部１１（以下、単に“制御部１１”と称する）は、主に、マイクロコンピュータ、ＲＯＭ・ＲＡＭ等のメモリ回路、及びこれらの周辺回路から構成されており、映像信号供給装置１０全体の動作を統括制御する部分である。メモリ回路のＲＯＭには、映像信号供給装置１０の動作を規定した各種のプログラムが格納されており、上記のマイクロコンピュータがこれらのプログラムを、内蔵するクロックに同期して１ステップずつ実行することによって、映像信号供給装置１０における諸機能が実現される。また、メモリ回路のＲＡＭには、かかるプログラムの実行過程における種々のフラグ類や、演算結果等の諸値が一時的に記憶される。
【００１２】
なお、制御部１１は、後述する記録装置制御部１２、ＩＥＥＥ１３９４インタフェース部１４（以下、単に“インタフェース部１４”と称する）、映像信号供給装置映像信号生成部１５（以下、単に“映像信号生成部１５”と称する）、及びリモートコントロール信号受信部１６（以下、単に“リモコン受信部１６”と称する）等の各回路と上記のマイクロコンピュータのバスラインを介して接続されている。
【００１３】
記録装置制御部１２は、映像信号等の記録媒体である記録装置１３を駆動制御する制御回路であり、例えば、特殊仕様のＬＳＩ等のＩＣチップによって構成しても良い。また、記録装置１３は、例えば、ハード・ディスク装置などの大容量記憶媒体であり、ＤＶＤやネットワーク配信システム（何れも図示せず）から取得されたデジタル映像データを蓄積する部分である。
【００１４】
インタフェース部１４は、記録装置１３からの映像データを含む各種データを、所定のプロトコル及びタイミングに基づいてＩＥＥＥ１３９４規格に準拠する信号に変換して、ＩＥＥＥ１３９４のインタフェースに送出する回路である。また、映像信号生成部１５は、記録装置１３からの映像データを所定のアナログ映像信号に変換して、これをアナログインタフェースバスに出力する回路である。なお、インタフェース部１４、及び映像信号生成部１５は、制御部１１によってその動作が制御されることは言うまでもない。
【００１５】
リモコン受信部１６は、リモートコントロール信号送信器３０（以下、単に“リモコン送信器３０”と称する）からの指令を受信して、これを制御部１１に通報する回路である。リモコン送信器３０は、ユーザが映像信号供給装置１０の各種動作を指令するためのものであり、リモコン受信部１６との間で、例えば、赤外線や微弱電波等の無線媒体を用いて各種データの授受が行われる。
【００１６】
次に、映像表示端末装置２０の構成について、図３に示すブロック図を参照しつつ説明を行う。
同図において、映像表示端末装置制御部２１（以下、単に“制御部２１”と称する）は、主に、マイクロコンピュータ、ＲＯＭ・ＲＡＭ等のメモリ回路、及びこれらの周辺回路から構成されており、映像表示端末装置２０全体の動作を統括制御する部分である。メモリ回路のＲＯＭには、映像表示端末装置２０の動作を規定した各種のプログラムが格納されており、上記のマイクロコンピュータがこれらのプログラムを、内蔵するクロックに同期して１ステップずつ実行することによって、映像表示端末装置２０における諸機能が実現される。また、メモリ回路のＲＡＭには、かかるプログラムの実行過程における種々のフラグ類や、演算結果等の諸値が一時的に記憶される。
【００１７】
なお、制御部２１は、後述するＩＥＥＥ１３９４インタフェース部２４（以下、単に“インタフェース部２４”と称する）、映像表示端末装置映像信号生成部２５（以下、単に“映像信号生成部２５”と称する）、リモートコントロール信号受信部２６（以下、単に“リモコン受信部２６”と称する）、及びセレクタ部２７等の各回路と、上記のマイクロコンピュータのバスラインを介して接続されている。
【００１８】
デジタル信号入力端子２２は、映像信号供給装置１０から供給を受けるＩＥＥＥ１３９４規格によるデジタル信号が入力される信号入力端子であり、同規格に基づいたコネクタにより構成されている。なお、ＩＥＥＥ１３９４規格のインタフェースでは、同インタフェースに接続される機器間のケーブルが芋蔓式に接続される、いわゆる“デイジー・チェイン”を構成するが、本発明の実施には直接の関係が無いためかかる構成の記述は省略する。
【００１９】
インタフェース部２４は、デジタル信号入力端子２２を介して映像信号供給装置１０との間で、ＩＥＥＥ１３９４規格に準拠するプロトコル及びタイミングに基づいてデータ信号の授受を行う回路である。映像信号生成部２５は、インタフェース部２４が受信したＩＥＥＥ１３９４インタフェース形式の映像データをアナログの映像信号にデコードして、これをセレクタ部２７に出力する回路である。なお、インタフェース部２４、及び映像信号生成部２５の動作は、制御部２１によって制御されることは言うまでもない。
【００２０】
アナログ信号入力端子２３は、映像信号供給装置１０から供給されるアナログ映像信号が入力される信号入力端子である。一般に、テレビモニタ等の映像表示端末装置は、ＤＶＤプレーヤやＶＴＲレコーダ等の複数の映像信号ソースに対して共通に使用される場合が多い。それ故、本実施例の場合も、図３に示される如く、アナログ信号入力端子２３は、１〜ｎまでの複数の信号入力端子を備えている。つまり、映像信号供給装置１０から供給されるアナログ映像信号は、かかるアナログ信号入力端子２３の内の何れか１つに接続されることになる。
【００２１】
セレクタ部２７は、例えば、ＦＥＴなどの半導体をスイッチング素子として利用した映像信号選択回路であり、映像信号生成部２５の出力、及びアナログ信号入力端子２３の各々を択一的に選択して、後述のモニタ回路２８に接続する回路である。なお、セレクタ部２７における選択動作は、制御部２１からの制御信号によって制御される。
【００２２】
モニタ部２８は、例えば、ブラウン管や、プラズマディスプレイパネル、或いは液晶ディスプレイパネル等の表示パネルを用いた映像表示部であり、セレクタ部２７で選択された映像信号を再生・表示する部分である。
リモコン受信部２６は、リモートコントロール信号送信器４０（以下、単に“リモコン送信器４０”と称する）からの指令を受信して、これを制御部２１に通報する回路である。リモコン送信器４０は、ユーザが映像表示端末装置２０の各種動作を指令するためのものであり、リモコン受信部２６との間で、例えば、赤外線や微弱電波等の無線媒体を用いて各種データの授受が行われる。なお、リモコン送信器４０は、前述した映像信号供給装置１０のリモコン送信器３０と、共通の筐体内に設けられる構成としても良い。
【００２３】
次に、本発明に基づく映像信号供給システムの動作について説明を行う。
図４に動作の説明に供する実施例のブロック図を示す。本実施例では、同図に示される如く、映像信号供給装置１０のアナログインタフェースがアナログ信号入力端子２３の２番端子に接続されており、同装置から供給されるアナログ映像信号は同端子に入力されるものと想定する。また、映像信号供給装置１０から供給されるＩＥＥＥ１３９４インタフェースのデジタル信号（以下、単に“ＩＥＥＥ１３９４信号”と称する）は、映像表示端末装置２０のデジタル信号入力端子２２に接続されているものとする。なお、図４において、映像信号供給装置１０、及び映像表示端末装置２０共に、以下の動作説明に直接に関係のない構成部分に関してはその記載を省略している。
【００２４】
先ず、両装置における電源の投入や、ユーザが装置のリセットスイッチを押下することによって初期設定処理が開始される。かかる初期設定処理において、映像信号供給装置１０と映像表示端末装置２０との間で、ＩＥＥＥ１３９４インタフェースを介して、例えば、ＡＶ／Ｃコマンド等のＩＥＥＥ１３９４規格に準拠した各種の制御信号が相互に伝達される。また、初期設定処理では、一般に、映像表示端末装置２０におけるモニタ部２８の表示画面を用いて、ユーザが各種の初期設定パラメータを入力する手法が用いられる。
【００２５】
この初期設定処理の一環として、例えば、図５に示されるような初期設定画面がモニタ部２８のディスプレイ上に表示される。ユーザがかかる初期設定画面に従って、所定の事項を指定・入力することにより初期設定処理が為されていくことになる。それ故、初期設定処理においては、初期設定画面を表示するためのアナログ映像信号を映像信号供給装置１０から映像表示端末装置２０に供給する必要がある。
【００２６】
つまり、ユーザは初期設定処理を行う際に、アナログ信号入力端子２３のうち映像信号供給装置１０のアナログインタフェースが接続されている入力端子を必ず指定する必要がある。かかる指定は、ユーザが映像表示端末装置２０側のリモコン送信機４０を用いて行う。この場合、映像表示端末装置２０側で取得された端子番号の指定は、ＩＥＥＥ１３９４インタフェースを介して、映像信号供給装置１０側の制御部１１に通知されるものとする。また、かかる端子番号の指定は、ユーザがリモコン送信機３０を用いて行うようにしても良いし、或いは、映像信号供給装置１０のコンソールパネルから直接に行うようにしても良い。即ち、本実施例においては、アナログ信号入力端子２３のうちの２番端子が、ユーザによって指定されることになる。なお、最終的に端子番号を決定するタイミングとしては、例えば初期設定終了時などのタイミングが用いられる。
【００２７】
アナログ信号入力端子２３の端子番号の指定が為されると、映像信号供給装置１０の制御部１１は、指定された端子番号をそのメモリ回路に記憶して、さらに、かかる端子番号を、例えば、ＡＶ／Ｃコマンド等のＩＥＥＥ１３９４インタフェースの制御信号を用いて映像表示端末装置２０側に通知する。映像表示端末装置２０では、ＩＥＥＥ１３９４インタフェースを介して端子番号の指定が通知されると、制御部２１がセレクタ部２７に接点ａを選択する制御信号を出力する。これによって、アナログ信号入力端子２３の２番端子に入力されたアナログ映像信号がモニタ部２８に供給される。
【００２８】
初期設定処理が終了した後、ユーザが映像信号の供給伝送経路としてＩＥＥＥ１３９４インタフェースを選択すると、かかる制御情報は、ＩＥＥＥ１３９４インタフェースを介して映像表示端末装置２０側に通知される。これによって、図６に示される如く、映像表示端末装置２０の制御部２１がセレクタ部２７をして接点ｄを選択する制御を為す。そして、ＩＥＥＥ１３９４インタフェースを介して映像表示端末装置２０に伝送されたデジタル映像信号が映像信号生成部２５によってアナログ信号に変換され、変換後のアナログ映像信号がモニタ部２８に供給されることになる。また、映像信号の供給がＩＥＥＥ１３９４インタフェースだけで行われる場合でも上記と同様の制御が為される。
【００２９】
次に、ユーザが映像信号の供給伝送経路をＩＥＥＥ１３９４インタフェースからアナログインタフェースに切り替える場合を想定する。この場合、ユーザはリモコン送信機３０を用いて切替指令を映像信号供給装置１０に入力する。映像信号供給装置１０の制御部１１は、かかる指令を受け付けると、上記の初期設定処理のときにメモリ回路に記憶されていたアナログ信号入力端子２３の端子番号（２番端子）を読み出し、これをＩＥＥＥ１３９４インタフェースを介して、例えば、ＡＶ／Ｃコマンド等の制御信号を用いて映像表示端末装置２０に通知する。
【００３０】
映像表示端末装置２０側では、これを受けて制御部２１がセレクタ部２７に接点ａを選択させる制御信号を出力する。これによって、再び図４に示される如く、アナログ信号入力端子２３の２番端子がアナログモニタ部２８に接続されることになる。映像表示端末装置２０における選択の切替がＩＥＥＥ１３９４インタフェースを介して確認された後、映像信号供給装置１０は、映像信号をアナログインタフェースを介して映像表示端末装置２０に供給する。また、映像信号の供給がアナログインタフェースだけで行われる場合でも上記と同様の制御が為される。
【００３１】
さらに、各装置のハードウェア構成や、映像信号に含まれるコンテンツの著作権保護等の理由で、映像信号の供給がアナログインタフェースのみ、或いはＩＥＥＥ１３９４インタフェースのみでしか行えない場合がある。かかる場合、映像信号供給装置１０は、映像表示端末装置２０に所定の制御信号を送信して、映像表示端末装置２０側において対応可能な入力端子に切り換える処理が為される。また、ＩＥＥＥ１３９４インタフェースを介して供給された映像信号が、映像表示端末装置２０で表示できないとき、或いは、ＩＥＥＥ１３９４インタフェースが指定されているにも拘わらず同インタフェースを介して映像信号が供給されないとき、映像表示端末装置２０は、映像信号の入力端子をアナログインタフェースに切り換得る処理を為す。
【００３２】
なお、インタフェース形式の切替指令は、上記の初期設定処理の場合と同様に、ユーザが映像表示端末装置２０側のリモコン送信機４０から行うようにしても良い。
以上説明した如く、本発明の映像信号供給システムにおいては、初期設定時に用いられる映像表示端末装置のアナログ信号入力端子を記憶し、その後、映像信号の供給経路がアナログインタフェースに切り替わるときは、かかる記憶データを利用してアナログ信号入力端子の選択が行われる。従って、アナログインタフェースへ切り替える際のユーザによる入力端子の選択動作が不要となる。
【００３３】
また、本発明では、入力信号端子の選択指示等の通知に、ＩＥＥＥ１３９４のインタフェース規格で標準化されたコマンドを使用している。それ故、ＩＥＥＥ１３９４規格のインタフェースを備えた装置であれば機種を限定せずに用いることが可能である。
【図面の簡単な説明】
【図１】図１は、本発明に基づく映像信号供給システムの構成を表す構成図である。
【図２】図２は、図１における映像信号供給装置１０の構成を示すブロック図である。
【図３】図３は、図１における映像表示端末装置２０の構成を示すブロック図である。
【図４】図４は、図１の映像信号供給システムにおける信号入力端子選択の動作を説明する第１の図である。
【図５】図５は、図１の映像信号供給システムの初期設定処理時における初期設定画面の一例を示す説明図である。
【図６】図６は、図１の映像信号供給システムにおける信号入力端子選択の動作を説明する第２の図である。
【符号の説明】
１０  …  映像信号供給装置
１１  …  映像信号供給装置制御部
１２  …  記録装置制御部
１３  …  記録装置
１４、２４  …  ＩＥＥＥ１３９４インタフェース部
１５  …  映像信号供給装置映像信号生成部
１６、２６  …  リモートコントロール信号受信部
２０  …  映像表示端末装置
２１  …  映像表示端末装置制御部
２２  …  デジタル信号入力端子
２５  …  映像表示端末装置映像信号生成部
２３  …  アナログ信号入力端子
２７  …  セレクタ部
２８  …  モニタ部
３０、４０  …  リモートコントロール信号送信機
【図１】
2005017817.tif 000003
【図２】
2005017817.tif 000004
【図３】
2005017817.tif 000005
【図４】
2005017817.tif 000006
【図５】
2005017817.tif 000007
【図６】
2005017817.tif 000008